(57)【要約】【課題】表示領域に対してスペース的に効率良く情報を表示できる携帯情報端末を提供することである。【解決手段】アラーム機能では、５件のアラーム情報が設定される。アラーム情報の概要を表示する画面１００（リスト画面）では、各件について設定された曜日は、肯定形の表示態様（設定された曜日を表示する態様）と否定形の表示態様（設定された曜日以外の曜日を表示する態様）の中の、文字数の少ない方で、表示される。【選択図】図１３
2008278365.tif 000002
【特許請求の範囲】
【請求項１】
表示手段と、
第１の数の情報の中から指定された情報を記憶する記憶手段と、
前記記憶手段に記憶された情報を前記表示手段に表示する表示制御手段とを備え、
第１の表示態様で前記指定された情報を表示するための情報と、前記第１の表示態様と異なる第２の表示態様で前記指定された情報を表示するための情報とを生成し、
前記第１の表示態様と前記第２の表示態様の中の、表示に利用される文字数の少ない方の態様で、前記指定された情報を前記表示手段に表示する、携帯情報端末。
【請求項２】
前記第１の表示態様は、前記第１の数の情報の中の、指定された情報を表示する態様であり、
前記第２の表示態様は、前記第１の数の情報の中の、指定された情報以外の情報を表示する態様である、請求項１に記載の携帯情報端末。
【請求項３】
前記表示制御手段は、前記指定された情報の数が前記第１の数よりも少ない第２の数を超える場合であって、前記第１の表示態様と前記第２の表示態様の文字数が等しい場合には、前記第１の態様で、前記指定された情報を前記表示手段に表示する、請求項２に記載の携帯情報端末。
【請求項４】
前記第１の数の情報の中から指定された情報は、曜日を指定する情報である、請求項１〜請求項３のいずれかに記載の携帯情報端末。
【請求項５】
前記表示制御手段は、前記第１の表示態様と前記第２の表示態様の少なくとも１つにおいて、指定された曜日が３以上連続する曜日を含む場合には、特定の記号を前記連続する曜日の両端の曜日を表す記号で挟んで表示させる、請求項４に記載の携帯情報端末。
【請求項６】
前記記憶手段は、前記第１の数の情報の中から指定された情報とともに時刻情報をアラーム情報として記憶し、
前記表示制御手段は、アラーム情報のリストを表示させる画面で、前記時刻情報と前記第１の数の情報の中から指定された情報を表示する、請求項４または請求項５に記載の携帯情報端末。
【発明の詳細な説明】
【技術分野】
【０００１】
本発明は、携帯情報端末に関し、特に、種々の設定内容を記憶するとともに当該設定内容を表示する携帯情報端末に関する。
【背景技術】
【０００２】
従来から、電卓機能やアラーム機能など、種々の機能を搭載された携帯情報端末が流通している。そして、アラーム機能を搭載された携帯情報端末について、設定された時刻等の情報の表示に関する種々の技術が開示されている。
【０００３】
たとえば、特許文献１（特開２００２−３１１１７４号公報）では、携帯電話機において、複数のアラーム時刻の設定を可能とし、また、当該複数のアラーム時刻の一覧表示を可能とする技術が開示されている。
【０００４】
なお、従来の、設定時刻の表示に関する技術としては、特許文献２（特開平２−２９４７２８号公報）に示されているような、入力された日時データを、当該設定時刻を特定する情報の文字数を表示部に表示できる文字数になるまで減らして、表示させる技術もあった。
【特許文献１】特開２００２−３１１１７４号公報
【特許文献２】特開平２−２９４７２８号公報
【発明の開示】
【発明が解決しようとする課題】
【０００５】
なお、従来の携帯情報端末では、たとえばアラーム機能についての設定時刻等の、ユーザが設定した情報をリスト表示させる際に、より多くの情報を表示させることが望まれていた。その一方で、携帯情報端末は、携帯性を担保させるために小型化が進められ、これにより、当該携帯電話機の表示領域も、パーソナルコンピュータなどの情報端末と比較して、狭いものとされている。したがって、このような携帯情報端末では、特に、効率よく、情報を表示することについて大きな要望があった。
【０００６】
本発明は係る実情に鑑み考え出されたものであり、その目的は、表示領域に対してスペース的に効率良く情報を表示できる携帯情報端末を提供することである。
【課題を解決するための手段】
【０００７】
本発明に従った携帯情報端末は、表示手段と、第１の数の情報の中から指定された情報を記憶する記憶手段と、前記記憶手段に記憶された情報を前記表示手段に表示する表示制御手段とを備え、第１の表示態様で前記指定された情報を表示するための情報と、前記第１の表示態様と異なる第２の表示態様で前記指定された情報を表示するための情報とを生成し、前記第１の表示態様と前記第２の表示態様の中の、表示に利用される文字数の少ない方の態様で、前記指定された情報を前記表示手段に表示することを特徴とする。
【０００８】
また、本発明に従った携帯情報端末では、前記第１の表示態様は、前記第１の数の情報の中の、指定された情報を表示する態様であり、前記第２の表示態様は、前記第１の数の情報の中の、指定された情報以外の情報を表示する態様であることが好ましい。
【０００９】
また、本発明に従った携帯情報端末では、前記表示制御手段は、前記指定された情報の数が前記第１の数よりも少ない第２の数を超える場合であって、前記第１の表示態様と前記第２の表示態様の文字数が等しい場合には、前記第１の態様で、前記指定された情報を前記表示手段に表示することが好ましい。
【００１０】
また、本発明に従った携帯情報端末では、前記第１の数の情報の中から指定された情報は、曜日を指定する情報であることが好ましい。
【００１１】
また、本発明に従った携帯情報端末では、前記表示制御手段は、前記第１の表示態様と前記第２の表示態様の少なくとも１つにおいて、指定された曜日が３以上連続する曜日を含む場合には、特定の記号を前記連続する曜日の両端の曜日を表す記号で挟んで表示させることが好ましい。
【００１２】
また、本発明に従った携帯情報端末では、前記記憶手段は、前記第１の数の情報の中から指定された情報とともに時刻情報をアラーム情報として記憶し、前記表示制御手段は、アラーム情報のリストを表示させる画面で、前記時刻情報と前記第１の数の情報の中から指定された情報を表示することが好ましい。
【発明の効果】
【００１３】
本発明によれば、指定された情報の数が多い場合、できるだけ少ない文字数で当該指定された情報を表示するように、指定された情報を表示する態様を変更することができる。
【００１４】
これにより、携帯情報端末において、指定された情報の表示に関して、表示領域に対してスペース的に効率良く情報を表示できるようになる。
【００１５】
また、本発明によれば、同じ情報がより少ない文字数で表示されるため、ユーザに認識させる文字数が少なくて済み、これにより、同じ情報をユーザが認識しやすい態様で表示することができる。
【発明を実施するための最良の形態】
【００１６】
以下、図面を参照しつつ、本発明の一実施の形態である携帯電話機について説明する。
図１（Ａ）および図１（Ｂ）は、携帯電話機１の外観図である。携帯電話機１は、主に上部筐体２と下部筐体３から構成される。携帯電話機１では、上部筐体２と下部筐体３とが、図示せぬスライド機構により開閉自在に接続されている。図１（Ａ）は、上部筐体２と下部筐体３が閉じられた状態を示し、図１（Ｂ）は上部筐体２と下部筐体３が開かれた状態を示す。
【００１７】
上部筐体２には、ディスプレイ１１、送話口１２、受話口１３が設けられている。
下部筐体３の、携帯電話機１が閉じられた状態とされたときに上部筐体２に覆われる面には、操作キー２１，２２，２３Ａ〜２３Ｄ，２４〜２８が設けられている。操作キー２１は、電話番号や文字の入力などを行なうときに使用される。操作キー２２は、上下左右の４方向にカーソルを移動させるためのキー（４方向キー）とディスプレイ１１に表示された情報を選択するときなどに操作されるキー（決定キー）を含む。操作キー２３Ａ〜２３Ｄは、各キーに対して与えられた機能を実行するときに操作されるキーである。操作キー２４，２５，２６も同様である。また、操作キー２７，２８は、それぞれ「＊」「♯」を入力するときなどに操作されるキーである。
【００１８】
下部筐体３の側面には、サイドキー３１〜３６が設けられている。サイドキー３１〜３６は、図１（Ａ）から理解されるように、携帯電話機１が閉じられた状態であっても、操作することができる。
【００１９】
図２は、携帯電話機１のハードウェア構成を模式的に示す図である。
図２を参照して、携帯電話機１、当該携帯電話機１の動作を全体的に制御する制御部５０を備えている。制御部５０は、ＣＰＵ（Central Processing Unit）を含む。また、携帯電話機１は、制御部５０のワークエリアとして機能するＲＡＭ（Random Access Memory）５１を含む。
【００２０】
携帯電話機１では、アンテナ８９を介して、通話に関する情報の送受信およびテレビジョン放送波の受信が行なわれる。通話に関する電波は、通信制御部８０を介して、送受信される。また、アンテナ８９で受信されたテレビジョン放送波は、チューナ８１、変換部８２、およびエンコーダ８３を介して、制御部５０に入力される。
【００２１】
携帯電話機１は、通話の際に音声を出力するレシーバ５６および音声を入力するマイク５８、ならびに、アラーム音やテレビジョン放送の番組の音声などを出力するスピーカ５７を備えている。また、携帯電話機１は、図示せぬカメラ５２、および、携帯電話機１における上部筐体２と下部筐体３の開閉状態を検出する状態検出部５９を含む。
【００２２】
携帯電話機１は、さらに、制御部５０のＣＰＵが実行するプログラムなどの種々の情報を記憶する記憶部６０を備えている。記憶部６０には、後述するアラーム機能に関して設定された情報を記憶するアラーム設定情報記憶部６１と、上記したプログラム等の情報を記憶するデータ記憶部６２を含む。
【００２３】
また、携帯電話機１は、外部Ｉ／Ｆ（インターフェース）５３を含み、制御部５０は、当該外部Ｉ／Ｆ５３を介して、ＳＤメモリカード（Secure Digital memory card）５００等の外部の記録媒体に対する情報の読込みおよび書込みを行なう。
【００２４】
携帯電話機１は、カレンダーに関連付けてスケジュール情報を管理するカレンダー機能、予め設定された時刻にアラーム音の出力等の動作を実行するアラーム機能、電卓機能等の種々の機能を有する。携帯電話機１では、これらの機能を実現させるための技術として、本明細書で特記する場合を除き、周知の技術を採用することができるため、重複する説明は行なわない。
【００２５】
図３は、携帯電話機１が有する複数の機能の中から、ユーザが情報の入力や確認を行なう対象となる機能を選択させるためにディスプレイ１１に表示される画面の一例を示す図である。
【００２６】
図３を参照して、画面１００は、当該画面のタイトルを示すタイトル表示部１１０、操作キー２３Ａおよび／または操作キー２３Ｃに与えられた機能の名称などを表示する機能表示部１２０、および、主な情報を表示するメイン表示部１３０を含む。
【００２７】
図３のメイン表示部１３０では、携帯電話機１が有する機能の名称（カレンダー、アラーム、電卓、予定リスト、世界時計）が表示された状態が示されている。また、メイン表示部１３０には、表示されているメニューの中のいずれか１つに対応するように枠１３１が表示されている。なお、図３では、枠１３１は、アラームメニューに対応するように表示されている。枠１３１は、操作キー２２の４方向キーが適宜操作されることにより、その表示位置を移動させることができる。そして、決定キーが操作されると、ディスプレイ１１には、その時点で枠１３１が対応しているメニューの内容を示す画面が表示されることになる。図４に、図３に示された状態で決定キーが操作されたときにディスプレイ１１に表示される画面の一例を示す。
【００２８】
図４は、アラーム機能について設定されている情報のリストを表示させる画面（リスト画面）の一例を示す図である。
【００２９】
図４では、画面１００には、アラーム設定情報記憶部６１に記憶された情報のリストが表示されている。なお、表１に、アラーム設定情報記憶部６１に記憶された情報の一例を示す。
【００３０】
【表１】
2008278365.tif 000003
【００３１】
アラーム設定情報記憶部６１には、１〜５の設定番号でそれぞれが特定される５件のアラーム情報が記憶される。また、各アラーム情報には、携帯電話機１にアラーム動作を実行させる時刻、当該アラーム情報の件名、当該アラーム情報に基づくアラーム動作を繰返させる条件を示す情報（リピート情報）、アラーム動作の際に携帯電話機１に再生させるファイルを特定する情報、当該アラーム情報を有効にするか無効にするかを特定する情報（ＯＮ／ＯＦＦ）が含まれる。なお、本実施の形態におけるアラーム動作とは、たとえば、指定された音声ファイルや動画ファイルの再生や振動動作等の、一般的に携帯情報端末で実行されるアラーム動作を意味する。
【００３２】
表１に示されたアラーム情報は、ユーザが操作キー２１，２２，２３Ａ〜２３Ｄ，２４〜２８などを適宜操作することによって入力（設定）される。なお、件名については、「アラーム」という文字列と各設定番号とを組合せたものがデフォルトで設定されている。また、ＯＮ／ＯＦＦについては、ＯＦＦがデフォルトで設定されている。また、リピート情報としては、毎日、毎週どの曜日にアラーム動作を実行させるかを特定する情報（日、月、火、水、木、金および／または土）、または、その日の設定された時刻にのみアラーム動作を実行させることを指定する情報（１回のみ）の３種類の中のいずれか一種類が設定される。リピート情報については、デフォルトでは、たとえば「１回のみ」が設定されている。
【００３３】
再生ファイルとしては、データ記憶部６２に格納された音声ファイルまたは動画ファイルを指定する情報が設定される。
【００３４】
表１では、設定番号１のアラーム情報として、その日の１３時４０分（設定番号１に対応して、リピート情報が「１回のみ」であり、時刻が「１３：４０」である）に、「アラーム１．ｍｐ３」という名称のファイルを再生させる、件名を「会議」とされたアラーム情報が、有効（ＯＮ）な状態で記憶されている。
【００３５】
また、表１では、設定番号２のアラーム情報として、毎週の日曜日、月曜日、火曜日、水曜日、および金曜日の１４時００分に「アラーム２．ｍｐ３」という名称のファイルを再生させる、件名を「アラーム２」とされたアラーム情報が、有効な状態で記憶されている。
【００３６】
なお、表１では、設定番号３〜５では、アラーム情報が無効（ＯＦＦ）とされている。
再度図４を参照して、リスト画面では、メイン表示部１３０において、表１において設定番号１〜５で特定されるアラーム情報の中で、時刻の欄に情報が設定されているものについてのリストが表示されている。具体的には、図４では、メイン表示部１３０において、一番上の行に設定番号１に対応するアラーム情報についての情報が表示され、次の行に、設定番号２に対応するアラーム情報の概略を示す情報が表示されている。この概略には、アラーム設定情報（表１）において当該アラーム情報が有効であることを示す画像１３２と、時刻と、リピート情報とが示されている。なお、本実施の形態の携帯電話機１では、リスト画面におけるリピート情報の表示態様に特徴を有する。この表示態様の詳細については後述する。
【００３７】
図４のメイン表示部１３０では、アラーム設定情報において時刻を特定する情報を設定されていないアラーム情報については、メイン表示部１３０の各設定番号のアラーム情報の表示位置（３行目〜５行目）の時刻に対応する位置において、「−−：−−」という表示のみがなされている。つまり、リスト画面では、アラーム設定情報の設定番号１〜５の各アラーム情報について、時刻が設定されているものについては当該アラーム情報の概要を示す情報が表示され、時刻が設定されていないアラーム情報については「−−：−−」という情報が表示されている。
【００３８】
図４のメイン表示部１３０においても、各アラーム情報のいずれかに対応する位置に、枠１３１が表示されている。枠１３１は、たとえば上記の４方向キーが適宜操作されることにより、枠１３１の表示位置を変更させるとともに当該枠１３１が対応するアラーム情報を変更させることができる。また、図４に示された画面１００が表示されている場合において、決定キーが操作されることにより、その時点で枠１３１が対応しているアラーム情報の全設定項目を表示させる画面がディスプレイ１１に表示されるようになる。このような、１つのアラーム情報についての設定内容を表示する画面の一例を図５に示す。
【００３９】
図５に示された画面１００では、メイン表示部１３０には、表１に示されたアラーム情報の各設定項目について、その項目名と設定内容とが示されている。具体的には、メイン表示部１３０の上から１行目には、表１の項目の一つ（時刻）に対応する「時刻入力：」、その次の行に時刻の設定内容（１３：４０）、その次の行に表１の項目の一つ（件名）に対応する「件名：」、その次の行に件名の設定内容（会議）、その次の行に表１の項目の一つ（リピート情報）に対応する「リピート：」、その次の行にリピート情報の設定内容（１回のみ）、その次の行に表１の項目の一つ（再生ファイル）に対応する「アラーム音／ムービー：」、その次の行に再生ファイルの設定内容（アラーム１（図５では、ファイルの拡張子は省略されている））が、それぞれ表示されている。なお、表１のＯＮ／ＯＦＦについては、たとえば、後述するように図５に示した画面から図４に示した画面に表示が戻される際に、画面の表示が切り換えられる途中で表示される別の画面に対して操作がなされることにより、設定される。
【００４０】
図５に示した画面１００においても、メイン表示部１３０において、１つの設定項目（およびその設定内容）に対応するように枠１３１が表示されている。具体的には、図５では、枠１３１が表１の件名およびその設定内容に対応する位置に表示されている状態が示されている。枠１３１の表示される位置は４方向キーを操作されることにより適宜変更される。また、決定キーが操作されると、その時点での枠１３１の表示位置に対応した設定項目を設定するための画面がディスプレイ１１に表示されるようになる。図６に、「リピート情報」に対応する位置に枠１３１が表示されている状態で当該決定キーが操作された場合にディスプレイ１１に表示される画面の一例を示す。
【００４１】
図６を参照して、画面１００は、アラーム情報の中のリピート情報を設定するための画面である。この画面１００のメイン表示部１３０には、リピート情報についての設定のメニューが示されている。具体的には、メイン表示部１３０には、「１回のみ」「毎日」「曜日指定」の３つのメニューが、各メニューに対応するラジオボタンとともに表示されている。また、メイン表示部１３０には、これらのメニューのいずれか１つに対応する位置に枠１３１が表示されている。図６では、「１回のみ」というメニューに対応する位置に枠１３１が表示される状態が示されている。枠１３１の表示位置は、４方向キーが適宜操作されることによって変更される。枠１３１が、「１回のみ」または「毎日」というメニューに対応する位置に表示されている状態で操作キー２２の決定キーが操作されることによって、表１中の、対応する設定番号のリピート情報の欄には、対応するメニューが設定され、ディスプレイ１１に表示される画面は、図６に示された画面から図５に示された画面に変更される。
【００４２】
一方、図６の「曜日指定」に対応する位置に枠１３１が表示されている状態で上記決定キーが操作されると、ディスプレイ１１には、具体的に曜日を指定するための画面である図７に示される画面が表示される。
【００４３】
図７を参照して、画面１００のメイン表示部１３０には、日曜日から土曜日までの各曜日を示す文字列が、それぞれに対応するチェックボックスとともに表示されている。また、メイン表示部１３０には、各曜日のいずれかに対応する位置に、枠１３１が表示されている。ユーザは、操作キー２２の４方向キーを適宜操作することにより、枠１３１の表示位置が対応する曜日を変更させることができる。また、ユーザは、操作キー２２の決定キーを操作することにより、その時点で枠１３１の表示位置が対応する曜日を指定する／しないを切換えることができる。図７に示された画面１００においては、ユーザは、複数の曜日を指定することができる。そして、ユーザによって最終的に曜日指定の内容を決定する操作がなされると、制御部５０は、その時点で指定された曜日の情報を、表１中の、対応する設定番号のリピート情報の欄に格納するとともに、ディスプレイ１１に表示させる画面を、図５に示された画面１００に変更させる。
【００４４】
制御部５０は、図５に示された画面１００が表示されている状態で、操作キー２１，２２，２３Ａ〜２３Ｄ，２４〜２８が適宜操作されることにより、ディスプレイ１１に表示させる画面を図４に示された画面１００に戻し、また、図４に示された画面１００が表示された状態で、操作キー２１，２２，２３Ａ〜２３Ｄ，２４〜２８を適宜操作されることにより、ディスプレイ１１に表示させる画面を図３に示された画面１００に戻す。
【００４５】
携帯電話機１では、以上説明したようにして設定されるアラーム情報に基づいて、アラーム動作が実行される。図８に、アラーム動作が実行されているときのディスプレイ１１に表示される画面の一例を示す。
【００４６】
図８を参照して、画面１００のメイン表示部１３０には、予め設定された画像または再生ファイルに基づく動画（図８では一例として、目覚し時計が鳴動している動作を表わすアニメーションが示されている）とともに、実行中のアラーム動作のもととなるアラーム情報の件名を表わす文字列（図８では一例として「会議」）および当該アラーム動作を開始した時刻（対応するアラーム情報中の時刻）が表示されている。
【００４７】
上記したように、本実施の形態の携帯電話機１は、図４を参照して説明したリスト画面の表示態様に特徴を有する。具体的には、当該リスト画面の、各アラーム情報についてのリピート情報に関する表示態様に特徴を有する。
【００４８】
ここで、当該リスト画面が表示される際に制御部５０が実行する処理（リスト画面表示処理）について、当該処理のフローチャートである図９を参照して説明する。
【００４９】
図９を参照して、リスト画面表示処理では、制御部５０は、まずステップＳ１で、この処理で利用する変数Ｎの値を１に設定して、ステップＳ２に処理を進める。
【００５０】
ステップＳ２では、制御部５０は、アラーム設定情報（表１）においてＮで特定される設定番号のアラーム情報の「時刻」が設定されているか否かを判断し、設定されていると判断するとステップＳ３へ処理を進め、されていないと判断するとステップＳ５へ処理を進める。
【００５１】
ステップＳ３では、制御部５０は、メイン表示部１３０の上からＮ番目の行に、アラーム設定情報の設定番号Ｎの「ＯＮ／ＯＦＦ」と「時刻」を表示させて、ステップＳ４へ処理を進める。なお、制御部５０は、「ＯＮ／ＯＦＦ」が「ＯＮ」に設定されている場合は、対応する行に図４を参照して説明した画像１３２を表示させ、「ＯＦＦ」が設定されている場合には画像１３２が表示されるべき位置には何も表示させず空欄とする。
【００５２】
ステップＳ４では、制御部５０は、設定番号Ｎの「リピート情報」をリスト画面に表示させるための処理（指定曜日／指定情報表示処理）を実行して、ステップＳ５へ処理を進める。ここで、指定曜日／指定情報表示処理について、当該処理のサブルーチンのフローチャートである図１０を参照して、その内容を説明する。
【００５３】
指定曜日／指定情報表示処理では、制御部５０は、まずステップＳ４００で、設定番号Ｎのリピート情報として設定されている情報が、「１日のみ」、「毎日」、または、曜日を指定する情報のいずれであるかを判断し、「１日のみ」であればステップＳ４０２へ処理を進め、「毎日」であればステップＳ４０６へ処理を進め、曜日を指定する情報であればステップＳ４１０へ処理を進める。
【００５４】
ステップＳ４０２では、制御部５０は、リスト画面において設定番号Ｎの曜日表示として「１日のみ」という文字列を表示させて、図９のステップＳ４へ処理をリターンさせる。
【００５５】
ステップＳ４０６では、制御部５０は、曜日表示として「毎日」という文字列を表示させて、図９のステップＳ４へ処理をリターンさせる。なお、ここでは、「日-土」という文字列（「-」の文字は半角）で表示が行なわれても良い。
【００５６】
ステップＳ４１０では、制御部５０は、設定番号Ｎのリピート情報において、指定されている曜日の数が４以下であるか否かを判断し、そうであると判断するとステップＳ４２６へ処理を進め、そうではない（つまり、５、６、または、７である）と判断するとステップＳ４１２へ処理を進める。
【００５７】
ステップＳ４２６では、制御部５０は、指定されている曜日の中で３日以上連続した曜日が含まれるか否かを判断し、含まれると判断するとステップＳ４２８へ処理を進め、含まれないと判断するとステップＳ４２７へ処理を進める。
【００５８】
なお、ここで「３日以上連続」とは、日曜日から始まって土曜日で終わる曜日の並び、つまり、日曜日、月曜日、火曜日、水曜日、木曜日、金曜日、土曜日の並びの中で、３日以上連続することを意味する。このことから、たとえば、月曜日と火曜日と水曜日が選択されている場合には、３日連続していると判断されるが、金曜日と土曜日と日曜日が選択されている場合には、３日連続しているとは判断されない。
【００５９】
ステップＳ４２７では、制御部５０は、指定された曜日に対応する文字を列挙するように表示させて、図９のステップＳ４へ処理をリターンさせる。具体的には、たとえば、日曜日、月曜日、および、水曜日が指定されている場合には、「日月水」という文字列がメイン表示部１３０のＮ番目の行の曜日表示に対応する位置に表示される。
【００６０】
ステップＳ４２８では、制御部５０は、３日以上連続する曜日についてはその両端を-で繋いで、指定された曜日を表示させる。具体的には、日曜日、月曜日、火曜日、および、水曜日が指定されている場合には、「日-木」という文字列がメイン表示部１３０のＮ番目の行の曜日表示に対応する位置に表示される。また、日曜日、月曜日、火曜日、および、金曜日が設定されている場合には、当該箇所には、「日-火金」という文字列が表示される。ここでも、「-」は半角で表示される。
【００６１】
ステップＳ４１２では、設定番号Ｎのアラーム情報において指定されている曜日の数が５または６であるか否かを判断し、そうであると判断するとステップＳ４１６へ処理を進め、そうではないと判断すると（つまり、すべての曜日が指定されている）、ステップＳ４１４へ処理を進める。
【００６２】
ステップＳ４１４では、制御部５０は、メイン表示部１３０において、Ｎ行目の曜日表示として、「毎日」という文字列を表示させて、図９のステップＳ４へ処理をリターンさせる。なお、ここでは、「日-土」という文字列（「-」の文字は半角）で表示が行なわれても良い。
【００６３】
ステップＳ４１６では、設定番号Ｎのリピート情報を肯定形（指定された情報をそのまま表示する態様）で表示させるための情報を生成する処理（肯定形生成処理）を実行して、ステップＳ４１８へ処理を進める。ここで、肯定形生成処理の内容を、当該処理のサブルーチンのフローチャートである図１１を参照して説明する。
【００６４】
肯定形生成処理では、制御部５０は、まずステップＳ４１６０で、設定番号Ｎのリピート情報において、指定された曜日が３日以上連続した曜日を含むか否かを判断し、含むと判断するとステップＳ４１６へ処理を進め、含まないと判断するとステップＳ４１６４へ処理を進める。
【００６５】
ステップＳ４１６４では、制御部５０は、設定番号Ｎのリピート情報において指定された曜日を特定する文字を列挙することにより曜日表示情報を生成して、図１０のステップＳ４１６へ処理をリターンさせる。
【００６６】
ステップＳ４１６２では、制御部５０は、ステップＳ４２８と同様に、３日以上連続する曜日をその両端の文字を-（半角のハイフン）で繋ぐことにより曜日表示情報を生成して、図１０のステップＳ４１６へ処理をリターンさせる。
【００６７】
図１０に戻って、ステップＳ４１６の処理の後、制御部５０は、ステップＳ４１８で、設定番号Ｎのリピート情報を否定形（指定された曜日以外の曜日を表示する態様）で表示させるための情報を生成する処理（否定形生成処理）を実行して、ステップ４２０へ処理を進める。ここで、否定形生成処理の内容を、当該処理のサブルーチンのフローチャートである図１２を参照して説明する。
【００６８】
否定形生成処理では、制御部５０は、まずステップＳ４１８０で、設定番号Ｎのリピート情報において指定されている曜日以外の曜日を抽出して、ステップＳ４１８２へ処理を進める。具体的には、たとえば、リピート情報において、日曜日、月曜日、火曜日、水曜日、および、金曜日が指定されている場合には、ステップＳ４１８０では、木曜日と土曜日が抽出される。
【００６９】
ステップＳ４１８２では、制御部５０は、ステップＳ４１８０で抽出した曜日を特定する文字を列挙したものに否定を意味する文字（図１２では「否定語」と記載）を組合せたものを曜日表示情報として生成して、図１０のステップＳ４１８へ処理を戻す。
【００７０】
図１０に戻って、ステップＳ４１８の処理の後、制御部５０は、ステップＳ４２０で、ステップＳ４１６４またはステップＳ４１６２で生成した肯定形の曜日表示情報の文字数が、ステップＳ４１８２で生成した否定形の曜日表示情報の文字数以下であるか否かを判断し、そうであると判断するとステップＳ４２２へ処理を進め、そうではないと判断すると、つまり、否定形の曜日表示情報の文字数の方が肯定形の曜日表示情報の文字数よりも少ないと判断すると、ステップＳ４２４へ処理を進める。
【００７１】
ステップＳ４２２では、制御部５０は、メイン表示部１３０において、設定番号Ｎのアラーム情報のリピート情報を示す情報として、ステップＳ４１６４またはステップＳ４１６２で生成した曜日表示情報を表示させて、図９のステップＳ４へ処理をリターンさせる。
【００７２】
一方、ステップＳ４２４では、メイン表示部１３０の設定番号Ｎのリピート情報として、ステップＳ４１８２で生成した曜日表示情報を表示させて、図９のステップＳ４経処理をリターンさせる。
【００７３】
図９に戻って、制御部５０は、ステップＳ４の処理の後、ステップＳ５で、Ｎの値が５となったか否かを判断し、そうであると判断すると処理を終了させ、まだ５に至っていないと判断すると、ステップＳ６でＮを１加算更新して、ステップＳ２へ処理を戻す。
【００７４】
以上説明した本実施の形態では、メイン表示部１３０に表示されるリスト画面（図４参照）において、アラーム設定情報における各アラーム情報のリピート情報が、表示される。なお、リピート情報を表示するための情報の生成態様は、リピート情報として曜日を指定する情報が設定されている場合であって、そこで指定される曜日の数が４以下であるか否かによって、変更される。具体的には、指定される曜日が４を超える場合には、指定される曜日を肯定形で表示する曜日表示情報と否定形で表示する曜日表示情報が生成され、そして、これらの中で文字数が少ない情報がリスト画面で表示される情報として選択される。なお、肯定形の曜日表示情報と否定形の曜日表示情報の文字数が等しい場合には、本実施の形態では肯定形の曜日表示情報が表示される。否定形の曜日表示情報よりも指定した曜日をユーザにより容易に認識させることができると考えられるからである。
【００７５】
本実施の形態では、否定形の曜日表示情報を生成する際に、「否定語」が用いられている。ここで、「否定語」としては、たとえば、「以外」「除外」「除く」「×」という文字が考えられる。なお、否定形の曜日表示情報を生成する場合、否定語を用いる代わりに、指定された曜日以外の文字の表示態様を、肯定形の曜日表示情報とは異なるものとして、否定形の曜日表示情報を生成することもできる。たとえば、ステップＳ４１８２において曜日表示情報を生成する場合、指定された曜日以外の曜日を、特定する文字を、取消し線を付したり、反転表示させることによって、曜日表示情報が生成されてもよい。これにより、否定形の曜日表示情報を、より少ない文字列で構成することができる。
【００７６】
なお、以上説明した本実施の形態では、指定された曜日または指定されない曜日が３以上連続した場合には、その両端の曜日を特定する文字が-（半角ハイフン）で繋がれて表示されたが、繋ぐ文字は、半角文字であれば「~」等の他のものが用いられても良い。
【００７７】
以上説明した本実施の形態では、指定された曜日の数が５または６である場合、たとえば表２に示すように肯定形の曜日表示情報と否定形の曜日表示情報が生成され、これらの中でリスト画面における表示として採用される表示態様が選択される。
【００７８】
【表２】
2008278365.tif 000004
【００７９】
表２には、指定された曜日の数が５または６である場合に生成される肯定形の曜日表示情報、否定形の曜日表示情報、および、リスト画面においてリピート情報を表示するものとして採用される表示態様を示す５つの具体例が示されている。
【００８０】
表２の例１は、日曜日、月曜日、水曜日、金曜日、および、土曜日が指定された例が示されている。この例では、指定された曜日の中に３日以上連続する曜日が含まれないため、肯定形の曜日表示情報では、-を利用されることなく、指定された各曜日を特定する文字が列挙されている。また、例１では、指定された曜日以外の曜日は、火曜日と木曜日である。このことから、否定形の曜日表示情報では、これらを特定する文字と否定語（以外）が組合されて、「火木以外」とされている。この例では、肯定か立ちの曜日表示情報の文字数は全角で５文字であるの対し、否定形の曜日表示情報の文字数は全角で４文字であるので、否定形の曜日表示情報が採用される。
【００８１】
例２は、日曜日、月曜日、水曜日、木曜日、金曜日、および、土曜日が指定された例を示している。この例では、水曜日から土曜日までの４日間が連続しているため、肯定形の曜日表示情報では、この４日間が、両端の曜日を特定する文字が-で繋がれて示される。つまり、表２に示されるように、例２の肯定形の曜日表示情報は、「日月水-土」とされる。また、この例では、指定された曜日以外の曜日は火曜日である。このことから、例２の否定形の曜日表示情報は、「火以外」とされる。この例では、肯定形の曜日表示情報の文字数は、全角４文字と半角１文字であるのに対し、否定形の曜日表示情報の文字数は全角３文字である。これにより、リスト画面に表示されるものとしては否定形の曜日表示情報が採用される。
【００８２】
例３は、日曜日、月曜日、火曜日、木曜日、金曜日、および、土曜日が指定された例である。この例では、指定された曜日において、日曜日から火曜日の３日が連続し、また、木曜日から土曜日の３日が連続している。これにより、この例の肯定形の曜日表示情報では、それぞれの連続する３日が、両端の曜日を特定する文字が-で繋がれて示される。つまり、肯定形の曜日表示情報は、「日-火木-土」となる。この例では、指定された曜日以外の曜日は、水曜日である。これにより、否定形の曜日表示情報は、「水以外」とされる。そして、この例では、肯定形の曜日表示情報の文字数は、全角４文字と半角２文字、つまり全角５文字であるのに対し、否定形の曜日表示情報の文字数は全角３文字である。したがって、リスト画面に表示される曜日表示情報としては、否定形が採用される。
【００８３】
例４は、月曜日、火曜日、水曜日、木曜日、金曜日、および、土曜日が指定された例である。この例では、月曜日から土曜日までの６日が連続しているため、肯定形の曜日表示情報では、これらの両端の曜日を特定する文字が-で繋がれたものとされる。つまり、肯定形の曜日表示情報は、「月-土」とされる。この例では、指定された曜日以外の曜日は、日曜日である。これにより、否定形の曜日表示情報は、「日以外」とされる。そして、この例では、肯定形の曜日表示情報の文字列は、全角２文字と半角１文字であるのに対し、否定形の曜日表示情報の文字数は全角３文字である。したがって、リスト画面に表示される曜日表示情報としては、否定形が採用される。
【００８４】
例５は、月曜日、火曜日、水曜日、木曜日、および、金曜日が指定された例である。この例では、指定された曜日において、月曜日から金曜日までの５日が連続している。このことから、肯定形の曜日表示情報では、これらの両端の曜日を特定する文字が-で繋がれて構成される。つまり、肯定形の曜日表示情報は、「月-金」とされる。この例では、指定された曜日以外の曜日は、日曜日と土曜日である。このことから、この例の否定形曜日表示情報は、「日土以外」とされる。そして、この例では、肯定形の曜日表示情報の文字数は、全角２文字と半角１文字であるのに対し、否定形の曜日表示情報の文字数は全角４文字である。したがって、リスト画面において表示される曜日表示情報としては、肯定形が採用される。
【００８５】
そして、表２の例１〜例５が、アラーム情報のリピート情報として設定されている場合のリスト画面の例を図１３に示すようなものとなる。
【００８６】
以上説明した本実施の形態によれば、アラーム機能のリピート情報として曜日を設定された場合、当該設定された曜日を、肯定形および否定形で表示するための情報が生成され、その中で文字数が少ない情報をリスト画面に表示するものとして採用される。このような態様でリピート情報において設定された曜日の内容を表示させることにより、限られたリスト画面のスペースにおいても、たとえば従来のように曜日指定がされていることのみを示す状態（たとえば「曜日指定」という文字列）だけでなく、実際に設定されている曜日の内容を表示させることができる。つまり、携帯電話機１では、アラーム情報の概要を表示する画面１００（図４または図１３のリスト画面）では、各件について設定された曜日は、肯定形の表示態様（設定された曜日を表示する態様）と否定形の表示態様（設定された曜日以外の曜日を表示する態様）の中の、文字数の少ない方で、表示される。
【００８７】
以上説明した本実施の形態では、有限の数の情報の中から指定された情報として、アラーム設定情報の各アラーム情報におけるリピート情報として記憶される、曜日を指定する情報が例示された。なお、このような情報の他の例としては、時報を表示する時間を指定する情報であってもよい。つまり、このような場合、０時から２３時までの２４個の情報の中から指定された情報が記憶される。そして、たとえば９時から２２時までが指定された場合、そのことは、リスト画面において、たとえば「9-22」のように表示される。
【００８８】
また、以上説明した本実施の形態では、携帯情報端末におけるアラーム機能のリスト表示に関する説明がなされたが、本発明によって特定される技術は、携帯電話機以外の端末、つまり、通話機能を持たなくとも、有限の数の情報の中から指定された情報をリスト画面等において表示するような、ＰＤＡ（personal digital assistance）や携帯型の音楽プレーヤを含む、すべての携帯端末に対して適用可能なものであると考えられる。なお、携帯型の音楽プレーヤに関しては、当該プレーヤの記憶装置に定義された所定のフォルダの中のファイルの中から、再生するように指定されたファイルを特定する情報（たとえば曲順）を表示する技術に対して適用することが考えられる。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９０】
【図１】本発明の一実施の形態である携帯電話機の斜視図である。
【図２】図１の携帯電話機のハードウェア構成を模式的に示す図である。
【図３】図１の携帯電話機のディスプレイにおいて、ユーザに機能を選択させる際に表示される画面の一例を示す図である。
【図４】図１の携帯電話機のディスプレイにおいて表示される、アラーム機能についてのリスト画面の一例を示す図である。
【図５】図１の携帯電話機のディスプレイに表示される、アラーム機能についての複数の設定項目についての情報を表示する画面の一例を示す図である。
【図６】図１の携帯電話機のディスプレイに表示される、アラーム情報の中のリピート情報を設定するための画面の一例を示す図である。
【図７】図１の携帯電話機のディスプレイに表示される、リピート情報として曜日を指定するために表示される画面の一例を示す図である。
【図８】図１の携帯電話機のディスプレイにおいて、アラーム動作中に表示される画面の一例を示す図である。
【図９】図１の携帯電話機の制御部が実行するリスト画面表示処理のフローチャートである。
【図１０】図９の指定曜日／指定情報表示処理のサブルーチンのフローチャートである。
【図１１】図１０の肯定形生成処理のサブルーチンのフローチャートである。
【図１２】図１０の否定形生成処理のサブルーチンのフローチャートである。
【図１３】図１の携帯電話機のディスプレイにおいて表示される、アラーム機能についてのリスト画面の他の例を示す図である。
【符号の説明】
【００９１】
１  携帯電話機、２  上部筐体、３  下部筐体、１１  ディスプレイ、１２  送話口、１３  受話口、２１，２２，２３Ａ〜２３Ｄ，２４〜２８  操作キー、３１〜３６  サイドキー、５０  制御部、６０  記憶部、６１  アラーム設定情報記憶部、６２  データ記憶部。
【図１】
2008278365.tif 000005
【図２】
2008278365.tif 000006
【図３】
2008278365.tif 000007
【図４】
2008278365.tif 000008
【図５】
2008278365.tif 000009
【図６】
2008278365.tif 000010
【図７】
2008278365.tif 000011
【図８】
2008278365.tif 000012
【図９】
2008278365.tif 000013
【図１０】
2008278365.tif 000014
【図１１】
2008278365.tif 000015
【図１２】
2008278365.tif 000016
【図１３】
2008278365.tif 000017